(57)【要約】【課題】褒める人及び褒められる人、相互に褒めることを根付かせて、組織内の社員同士の繋がりを向上させることができるコミュニケーションシステムを得る。【解決手段】複数の社員（以下、社員Ａｉという）の端末と、コミュニケーションサーバ（以下、サーバ１０００という）とを通信ネットワーク６０で接続してなるシステムであり、サーバ１０００が、褒め元である社員Ａ１の社員端末１６ａからの新規メッセージを褒め先である社員Ａ１０の社員端末１６ｊに提供すると共に、他の社員の端末（例えば、Ａ２、Ａ３・・）に褒め元のプライベイトを非表示にして閲覧させて褒め元である社員Ａ１の社員端末１６ａにポイントを贈呈させ、このポイント付の新規メッセージを褒め先に提供する。【選択図】  図１
2020197785.tif 000002
【特許請求の範囲】
【請求項１】
組織に属している複数の会員毎の会員端末と、サーバとが通信回線を介して接続されたコミニュケーションシステムであって、
前記会員端末は、送り元端末又は受け手端末若しくはポイント贈呈者端末であり、
前記サーバは、
（Ａ）送り元端末からのメッセージの受信に伴って配信情報用記憶手段に記憶し、送り元のプライベイト情報を非表示に設定したプライベイト非表示情報を生成して、時刻を計測し、一定時刻に到達したとき、非表示を解除したプライベイト非表示情報を生成する手段と、
（Ｂ）会員情報記憶手段に記憶されている所定数の会員名を前記メッセージに対するポイント贈呈者名とし、これらのポイント贈呈者名毎に、前記プライベイト非表示メッセージ情報にポイント贈呈マークを選択可能に関連付けたポイント贈呈者用情報を前記配信情報用記憶手段に記憶して、この情報の画面を各々の前記ポイント贈呈者端末に表示させる手段と、
（Ｃ）前記ポイント贈呈者端末からの前記ポイント贈呈者用情報に対する返信情報を受信する毎に、これに含まれている前記プライベイト非表示メッセージ情報及び選択されたポイント贈呈マークを含む受け手宛メッセージ情報を前記配信情報用記憶手段に記憶する手段と、
（Ｄ）前記メッセージ情報に含まれている受け手名を有する一定期間内の前記受け手宛メッセージ情報を全て指定する手段と、
（Ｅ）これらの受け手宛メッセージ情報に含まれているポイント贈呈マークを組とした贈呈マーク群を前記プライベイト非表示情報に関連付けた第１の受け手宛贈呈マーク付メッセージ情報又はこの贈呈マーク群と前記プライベイト表示メッセージ情報とを含む第２の受け手宛贈呈マーク付メッセージ情報を前記受け手端末に送信し、この情報に基づく画面を表示させる手段と
を有することを特徴とするコミニュケーションシステム。
【請求項２】
前記第２の受け手宛贈呈マーク付メッセージ情報には、返信コメント欄を付加して送信することを特徴とする請求項１記載のコミニュケーションシステム。
【請求項３】
（Ｇ）前記第２の贈呈マーク付メッセージ情報を前記送り元端末に送信し、送り元用画面として表示させる手段と
を有することを特徴とする請求項１又は２記載のコミニュケーションシステム。
【請求項４】
（Ｈ）前記返信情報を受信する毎に、この返信情報に含まれている前記ポイント贈呈マークに、この返信情報に含まれている送り手名を贈呈者名として割付ける手段と
を有することを特徴とする請求項１記載のコミニュケーションシステム。
【請求項５】
メッセージ用記憶手段を備え、
前記（Ａ）の手段は、
（Ａ１）前記送り元端末にメッセージ及び受け手名を入力させるメッセージ作成用情報を送信して、この情報に基づく新規メッセージ作成画面を表示させる手段と、
（Ａ２）前記メッセージ作成画面に入力された送り元名、メッセージを含むメッセージ情報を前記メッセージ用記憶手段に記憶する手段と、
（Ａ３）前記メッセージ情報を指定し、この指定毎に、タイマーによって時刻を計測し、一定時刻に到達するまでは、この新規メッセージ情報の送り元のプライベイト情報を非表示に設定したメッセージ情報を含む前記プライベイト非表示情報を前記配信情報用記憶手段に生成する手段と、
（Ａ４）前記指定したメッセージ情報が一定時刻経過した場合は、このメッセージ情報を含む前記プライベイト非表示情報のプライベイト情報を解除した前記プライベイト表示情報を前記配信情報用記憶手段に生成する手段と、
（Ａ５）前記受け手へのメッセージに対して前記一定時刻の間は返信不可にし、前記一定時刻を超えた場合は、返信コメント欄を表示させて返信許可にした情報を前記受け手端末に送信する手段と
を備えていることを特徴とする請求項１記載のコミュニケーションシステム。
【請求項６】
前記会員情報用記憶手段は、会員名に前記ポイント贈呈マークを獲得した獲得ポイント値が関連付けられており、
（Ｈ）前記ポイント贈呈者端末から前記ポイント贈呈者宛情報に対する返信情報を受信する毎に、この返信情報に含まれている送り元名と一致する会員名を有する前記会員情報を指定し、この会員情報の前記獲得ポイント値に、受信した返信情報に含まれているポイント贈呈マークを値にしてこの前記前記獲得ポイント値に加算する手段と
を有することを特徴とする請求項１記載のコミニュケーションシステム。
【請求項７】
前記会員情報は、メールアドレスを含み、
各々の前記手段は、
前記送り元端末、受け手端末、ポイント贈呈者端末に対する情報は、この情報に含まれている送り手名又は受け手名に一致する会員名を有する会員情報のメールアドレス宛に送信することを特徴とする請求項１記載のコミニュケーションシステム。
【請求項８】
前記一定時刻は、１時間３０分〜２時間３０分の間であることを特徴とする請求項１記載のコミニュケーションシステム。
【請求項９】
前記メツセージは、前記受け手端末の受け手を「褒めた」メッセージであり、前記ポイント贈呈マークは、贈呈者の種別毎に異なることを特徴とする請求項１記載のコミニュケーションシステム。
【請求項１０】
前記プライベイト情報は、前記送り元名又は送り元名と送り元の会員の写真であることを特徴とする請求項１記載のコミニュケーションシステム。
【請求項１１】
組織に属している複数の会員毎の会員端末と、サーバとが通信ネットワークを介して接続されたコミニュケーションシステムのプログラムであって、
前記会員端末は、送り元端末又は受け手端末若しくはポイント贈呈者端末であり、
コンピュータに、
（Ａ）送り元端末からのメッセージの受信に伴って配信情報用記憶手段に記憶し、送り元のプライベイト情報を非表示に設定したプライベイト非表示情報を生成して、時刻を計測し、一定時刻に到達したとき、非表示を解除したプライベイト非表示情報を生成させる手段、
（Ｂ）会員情報記憶手段に記憶されている所定数の会員名を前記メッセージに対するポイント贈呈者名とし、これらのポイント贈呈者名毎に、前記プライベイト非表示メッセージ情報にポイント贈呈マークを選択可能に関連付けたポイント贈呈者用情報を前記配信情報用記憶手段に記憶して、この情報の画面を各々の前記ポイント贈呈者端末に表示させる手段、
（Ｃ）前記ポイント贈呈者端末からの前記ポイント贈呈者用情報に対する返信情報を受信する毎に、これに含まれている前記プライベイト非表示メッセージ情報及び選択されたポイント贈呈マークを含む受け手宛メッセージ情報を前記配信情報用記憶手段に記憶させる手段、
（Ｄ）前記メッセージ情報に含まれている受け手名を有する一定期間内の前記受け手宛メッセージ情報を全て指定させる手段、
（Ｅ）これらの受け手宛メッセージ情報に含まれているポイント贈呈マークを組とした贈呈マーク群を前記プライベイト非表示情報に関連付けた第１の受け手宛贈呈マーク付メッセージ情報又はこの贈呈マーク群と前記プライベイト表示メッセージ情報とを含む第２の受け手宛贈呈マーク付メッセージ情報を前記受け手端末に送信し、この情報に基づく画面を表示させる手段
としての機能を実行させるためのコミニュケーションプログラム。
【発明の詳細な説明】
【技術分野】
【０００１】
本発明は、組織内の会員（社員）同士の繋がりを向上させることができるコミュニケーションシステムに関する。
【背景技術】
【０００２】
社員の技術力、営業力、事務能力、管理能力、人間性等の向上が企業並びに社会に利益を与え、結果として社員が幸福感を得ることになる。
そして、これらがバランス良くなっている方が、社員にとっても、楽しく仕事ができるようになり、愛社精神が生まれて、夢が生まれて意欲がでる。
【０００３】
そして、愛社精神の向上は、自分のアイディア、能力が仲間から評価されるのも一つの要因である。
この評価には、能力もさることながら社内でのコミニュケーションが重要であり、早い段階からレベルの高い働き方に取込んで行かせるのがよい。
【０００４】
一方、実力主義というが一時流行した。この実力主義の評価というのは、社員を上司が評価するというのが一般的である。しかし、上司が部下を評価するというのは、部下にとっては評判が悪い。
例えば、特許文献１の組織内コミュニケーションシステムは、組織の仕事上で主に社員に要求する事項のタイトル名の仮想コイン（例えば、丁寧な仕事が要な部署は丁寧コイン）なるものを用意し、社員が提示した例えばプロフィール、昨日の出来事等に対して、これを見た他の社員がその社員に仮想コイン（個数に応じてギフト券等に代わる）をその社員に贈呈する。
【０００５】
そして、この贈呈された仮想コインの数によってその社員を評価するというシステムである。つまり、褒められた社員が仮想コインを貰うものである。
【先行技術文献】
【特許文献】
【０００６】
【特許文献１】特開２０１７−１０２８９１号
【発明の概要】
【発明が解決しようとする課題】
【０００７】
しかしながら、特許文献１の組織内コミュニケーションシステムは、褒められた人は感謝を示す仮想コインが貰えるのでメリットがあるが、褒めた人に対してはなんらメリットがない。
このため、褒めたり、感謝することを忘れてしまうことになり、褒める又は感謝し合うということが根付かないことになる。
【０００８】
また、特許文献１の組織内コミュニケーションシステムは、褒めた人が誰であるかが組織の全員が直ぐに分かるシステムであるので、褒めるべき社員であっても、褒める側は、褒めるのに躊躇する。
また、Ａ企業の社員がＢ企業に派遣されてＢ企業で長期に渡って執務を行う場合もある。このような場合は、派遣社員はＢ企業と自宅との通勤になり、Ａ企業における他の社員との繋がりは極端に減り、Ａ企業への帰属意識が低下してしまう。
【０００９】
つまり、派遣社員の帰属意識を高めるには、できるだけＡ企業の社員と繋がりを持たせることが重要である。
【００１０】
本発明は、以上の課題を鑑みてなされたもので、褒める人及び褒められる人、相互に褒めることを根付かせて、組織内の社員同士の繋がりを向上させることができるコミュニケーションシステムを得ることを目的とする。
【課題を解決するための手段】
【００１１】
本発明に係るコミニュケーションシステムは、組織に属している複数の会員毎の会員端末と、サーバとが通信回線を介して接続されたコミニュケーションシステムであって、
前記会員端末は、送り元端末又は受け手端末若しくはポイント贈呈者端末であり、
前記サーバは、
（Ａ）送り元端末からのメッセージの受信に伴って配信情報用記憶手段に記憶し、送り元のプライベイト情報を非表示に設定して時刻を計測し、一定時刻に到達したとき、非表示を解除する手段と、
（Ｂ）会員情報記憶手段に記憶されている所定数の会員名を前記送り元へのポイント贈呈者名とし、これらのポイント贈呈者名毎に、前記プライベイト情報が非表示にされているメッセージ情報をプライベイト非表示メッセージ情報とし、これにポイント贈呈マークを選択可能に関連付けたポイント贈呈者用情報を前記配信情報用記憶手段に記憶して、この情報の画面を各々の前記ポイント贈呈者端末に表示させる手段と、
（Ｃ）前記ポイント贈呈者端末からの前記ポイント贈呈者用情報に対する前記プライベイト非表示メッセージ情報及び選択されたポイント贈呈マークを含む返信情報を受信する毎に、この返信情報をポイント贈呈者からの受け手宛メッセージ情報として配信情報用記憶手段に記憶する手段と、
（Ｄ）前記メッセージ情報に含まれている受け手名を有する前記受け手宛メッセージ情報を全て指定し、これらの受け手宛メッセージ情報に含まれているポイント贈呈マークを組とした贈呈マーク群を前記プライベイト非表示のメッセージに関連付け、これを第１の受け手宛贈呈マーク付メッセージ情報として前記配信情報用記憶手段に記憶する手段と、
（Ｅ）前記受け手端末からの前記メッセージの要求情報の受信に伴って、前記メッセージが該受信時点で前記プライベイト非表示メッセージ情報の場合は、前記第１の受け手宛贈呈マーク付メッセージ情報を前記受け手端末に送信して、この情報の画面を表示させる手段と、
（Ｆ）前記プライベイト情報の非表示が解除に設定されたプライベイト表示メッセージ情報の場合は、前記第１の受け手宛贈呈マーク付メッセージ情報の前記贈呈マーク群と前記プライベイト表示メッセージ情報とを含む第２の受け手宛贈呈マーク付メッセージ情報を前記受け手端末に送信し、この情報に基づく画面を表示させる手段と
を備えたことを要旨とする。
【発明の効果】
【００１２】
以上のように、本発明によれば、同一組織に存在する送り元の送り元端末からサーバに投稿された新規メッセージを受け手端末の受け手が閲覧したとしても、受け手は一定時刻の間は、送り元が誰であるかが分からない。
【００１３】
しかし、送り元からの受け手への新規メッセージ（例えば、受け手を褒めたメッセージ又は興味があるメッセージ）に対して、複数の第３者がこの新規メッセージに対してポイントを与えていることが分かるので、受け手側はどのような送り元が皆からポイントを貰えるようなメッセージを自分に送ったかが気になることになる。
【００１４】
しかし、受け手は一定時間は返信ができないので、業務に集中させることができると共に、廻りの第３者が受け手宛ての送り元からのメッセージを見て、そのメッセージに対してポイントを与えているので、受け手側にとっては励みにつながる。
この結果、組織内の会員（社員同士）の繋がりを向上させることができる。
【００１５】
また、ポイント贈呈者が誰かが分かるので、特に、例えばＡ社から他の組織に出向している社員においては、同じＡ社内の社員同士との繋がりができることになる。
【００１６】
この結果、Ａ社に寄り安くなり、社内が活性化する。
【００１７】
さらに、送り元がポイントを獲得して、このポイント数に応じて還元させるようにした場合で、送り元が受け手に対して褒めるメッセージを送信した場合は、この送り元の獲得ポイントが増えることになるので、褒め合うことが根付くことになる。結果、組織が活性化する。
【図面の簡単な説明】
【００１８】
【図１】本実施の形態のコミュニケーションシステムの概略構成図である。
【図２】社員端末１６ｉに提供される画面の説明図（１）である。
【図３】社員端末１６ｉに提供される画面の説明図（２）である。
【図４】サーバ１０００の詳細構成図である。
【図５】配信先条件設定部３００の概略構成図である。
【図６】「メッセージ共感人」宛情報提供部５００及び褒めポイント更新部５５０の説明図である。
【図７】本実施の形態のコミュニケーションシステムのシーケンス図である。
【図８】社員情報の説明図である。
【図９】新規メッセージ作成画面提供処理（Ｓ１００）を説明するフローチャートである。
【図１０】新規メッセージ作成画面の説明図でる。
【図１１】新規メッセージ情報及び２時間前１対１用提供情報の説明図である。
【図１２】２時間前１対１用提供処理及び２時間後１対１用提供処理を説明するフローチャートである。
【図１３】ポイント贈呈者用提供情報（１対ｎ用提供情報）の説明図である。
【図１４】褒められた人（Ａ１０）用を説明するシーケンス図である。
【図１５】２時間後１対１用提供情報の説明図である。
【図１６】メッセージ共感人の端末とのやりとりのシーケンス図（１）である。
【図１７】メッセージ共感人の端末とのやりとりのシーケンス図（２）である。
【図１８】褒めた人宛情報提供部の処理を説明するシーケンス図（１）である。
【図１９】褒めた人宛情報提供部の処理を説明するシーケンス図（１）である。
【図２０】タイムライン表示の説明図である。
【図２１】獲得ポイントの用い方の一例を説明する説明図である。
【発明を実施するための形態】
【００１９】
以下、本発明の実施形態について説明する。  
なお、以下に説明する本実施の形態は、本発明の技術的思想を具体化するための装置や方法を例示するものであって、本発明の技術的思想（構造、配置）は、下記のものに特定するものではない。本発明の技術的思想は、特許請求の範囲に記載された技術的範囲内において、種々の変更を加えることができる。図面は模式的なものであり、装置やシステムの構成等は現実のものとは異なる。
【００２０】
本実施の形態の図１に示すコミュニケーションシステムは、送り元から受け手に投稿（送った）したメッセージに対して他の人がこのメッセージに対して共感した場合に、ポイントを贈呈すると共に、受け手に送り元のプライベイト情報を例えば２時間（１時間３０分〜２時間３０分：好ましくは２時間）、非表示にするシステムである。
本実施の形態においては、前述の他の人をメッセージ共感人（褒めた人を褒めた人ともいう）と称する。」また、送り元を「褒めたる（又はた）人」と称し、受け手を「褒められた人」と称する。
【００２１】
また、「褒めた人」が一定期間（例えば、２０日、２か月、３か月）の間に獲得したポイント数に応じて、この「褒めた人」に対して何等かの対価を与えている。
「褒められた人」、「褒めた人」、「メッセージ共感人：褒めた人を褒めた人」は、同一の会社、団体、会員組織等に属している人が好ましいが、本実施の形態では会社として説明する。
【００２２】
通信の方式（システム）は、「褒める人（た）」と「褒められた人」とが１対１で通信を行う１対１通信方式と、「褒める（た）人」から「褒めた人」へのメッセージを複数の社員（グループ）に伝える１対ｎ通信方式とを行うシステムである。
【００２３】
本実施の形態は、クラウドで、「褒めた人」から「褒められた」人へのメッセージをグループ内の社員に公開するプラットホーム型のシステムである。以下に、このシステムの一例を説明する。
図１は実施の形態のコミュニケーションシステムの概略構成図である。
図１のコミュニケーションシステムは、複数の社員（以下、社員Ａｉという）の端末と、コミュニケーションサーバ（以下、サーバ１０００という）とを通信ネットワーク６０で接続してなるシステムである。
【００２４】
図１においては、「褒めた（る）人：送り元ともいう」を社員Ａ１と記載し、「褒められた人：受け手ともいう」を社員Ａ１０と記載し、「メッセージ共感人：ポイント贈呈者ともいう」を社員Ａ１８と記載し、上司を「上司Ａ２０」と記載する。本実施の形態では上司Ａ２０も「メッセージ共感人」として説明する。
また、社員Ａｉ側（Ａ１、Ａ２、・・）は、パソコン１６ｉ及びスマートフォン１８ｉ（総称して、社員端末１６ｉと称する）を備えている。
【００２５】
また、社員端末１６ｉを、社員Ａ１端末１６ａと称し、社員Ａ１０側の社員端末１６ｉを、社員Ａ１０端末１６ｊと称し、社員Ａ１８側の社員端末１６ｉを、社員Ａ１８端末１６ｒと称し、上司Ａ２０の社員端末１６ｉを上司Ａ２０端末１６ｔと称する。
社員Ａ１端末１６ａのスマートフォン１８ｉを社員Ａ１スマフォ１８ａと称し、社員Ａ１０端末１６ｊのスマートフォン１８ｉを社員Ａ１０スマフォ１８ｊと称し、社員Ａ１８端末１６ｒのスマートフォン１８ｉを社員Ａ１８スマフォ１８ｒと称し、上司Ａ２０端末１６ｔのスマートフォン１８ｉを上司Ａ２０スマフォ１８ｔと称する。
【００２６】
これらの端末の端末時刻ｔａｉは、サーバ１０００のタイマー（図示せず）の時刻と同期させられている。
また、これらの端末の社員Ａｉは、「褒め元」、「褒められ先」又は「メッセージ共感人（メッセージ共感人）」になるが、本実施の形態では、社員Ａ１（例えば、斉藤）を「褒め元」、社員Ａ１０（例えば、近藤）を「褒められ先」、社員Ａ２〜１８（Ａ１０を除く）及び上司Ａ２０を「メッセージ共感人」として説明する。但し、「メッセージ共感人」はＡ１８（例えば、木村）を代表にして説明する。
【００２７】
（サーバ１０００の概略構成）
サーバ１０００は、「褒める人」宛情報提供部１００と、メッセージ振分部２００と、配信条件設定部３００と、「褒められた人」宛情報提供部４００と、「メッセージ共感人」宛情報提供部５００と、「褒めた人」宛情報提供部６００等（ソフトウエア：プログラム）を備えている。これらの各部はログインＩＤとパスワード（以下、利用者識別情報ＵＪｉという）が後述する社員マスタ（図示せず）に含まれている場合に起動する。また、新規メッセージ用メモリ７１０、メッセージ振分用メモリ７２０、贈呈者用メモリ７４０等を総称して配信情報用メモリともいう。（会員情報用メモリは除く）。
【００２８】
本実施の形態は、これらの各部によって１対１通信方式を実行する。１対１通信方式は、褒めた人（例えば、Ａ１）から褒められる人（例えば、Ａ１０）に対してのメッセージ（褒めたメッセージ）をサーバ１０００が受付け、褒められた人からの要求があっても２時間後まではプライベイト情報（褒めた人）を非表示の状態、かつ返信不可の状態でこのメッセージ（褒められたメッセージ）を提供する方式（システム）であり、後述する図２に示す画面を社員端末１６ｉに提供する。
【００２９】
また、１対ｎ通信方式は、サーバ１０００が他の社員からの要求によって、「褒めた人」（例えば、Ａ１）からの「褒められた人」（Ａ１０）へのメッセージ（褒めたメッセージ）を提供（送信）して「褒めた人」（Ａ１）に対してポイント（例えば、花丸又は飴）の贈呈を可能とする形式で提供する方式であり、後述する図３に示す画面を提供する。
【００３０】
「褒める人」宛情報提供部１００は、「褒める人」の端末である社員端末１６ｉ（例えば、社員Ａ１端末１６ａ）からの新規メッセージ作成要求によって、図２（ａ）に示す新規メッセージ作成画面ＧＮＭｉ（例えば、「褒められ先」がＡ１０（近藤））を作成させ、この画面に基づく新規メッセージ情報ＮＭＪｉを通信ネットワーク６０を介して送信させて新規メッセージ用メモリ７１０に記憶する。
【００３１】
図２（ａ）の新規メッセージ作成画面ＧＮＭｉは、サーバ１００の現在時刻ｔｈｉが「４月１０日１０時３８分（なお、年度は、秒は記載しない）」となっている。
また、受け手名である「褒め先」名ｂｉ（例えば、Ａ１０（近藤）及び写真ｂｐｉ（Ａ１０近藤の写真）が表示されている。この「褒め先」名ｂｉ（例えば、Ａ１０（近藤）及び写真ｂｐｉ（Ａ１０近藤の写真）を褒め先プライベイト情報Ｖｂｉと称する。
【００３２】
また、褒め獲得ポイント付部分ｈｉ（褒め獲得ポイント付ヘッダともいう）が表示されている（後述する）。
メッセージ振分部２００は、新規メッセージ用メモリ７１０に新規メッセージ情報ＮＭＪｉが記憶される毎に、新規メッセージ情報ＮＭＪｉを振分用メモリ７２０に記憶する。
そして、この新規メッセージ情報ＮＭＪｉに含まれている褒め元名ａｉ（例えば、Ａ１（斉藤））を振分用メモリ７２０に記憶する。
そして、この褒め元名ａｉ（例えば、Ａ１０（近藤））が属する社員マスタ８００の所定の社員名又は全ての社員名（Ａ１、Ａ２、・・）を、「褒めた人」（Ａ１：斉藤（褒めた人））に対して（新規メッセージに対して）、花丸又は飴のポイントＰｉを贈呈させるためのポイント贈呈者名ｂｇｉ（ｂｇ１、ｂｇ２、・・・：メッセージ共感人名ともいう）として振分用メモリ７２０に記憶する。これによって、１対ｎ通信が可能となる。
【００３３】
そして、これらのポイント贈呈者名ｂｇｉ（ｂｇ１、ｂｇ２、・・・）毎に、新規メッセージＮＭｉの褒め元名ａｉ（例えば、Ａ１（斉藤））と、新規メッセージＮＭｉと、ｔｈｉ（４月１０日１０時３８分）等を関連付けて１対ｎ用提供情報ＳＪｉとして振分用メモリ７２０に記憶する。
【００３４】
配信先条件設定部３００は、振分用メモリ７２０に新規メッセージ情報ＮＭＪｉ（Ａ１（斉藤）→Ａ１０（近藤）：ｔｈｉ（「４月１０日１０時３８分」））が記憶される毎に、この新規メッセージ情報ＮＭＪｉの褒め元（Ａ１：斉藤）の褒め元プライベイト情報ＶＪａを非表示に設定すると共に、ポイントＰｉ（花丸又は飴）を贈呈することを不許可に設定する。
さらに、「褒め元」と「褒め先」とで１対１で直ぐにメールが始まらないように、返信不可にする（以下、２時間前１対１用提供情報ＨＰＪｉという：単にプライベイト非表示情報とも称する）と称する。
【００３５】
なお、２時間経過するまで非表示に設定する理由については後述する。
また、新規メッセージ情報ＮＭＪｉを受信（記憶）して２時間経過した場合は、送り元プライベイト情報ＶＪａの非表示を解除し、返信許可とする。これを、２時間後１対１用提供情報ＨＱＪｉと称する。なお、２時間前１対１用提供情報ＨＰＪｉ（送り元プライベイト情報非表示）と２時間後１対１用提供情報ＨＱＪｉ（送り元プライベイト情報表示）とを総称して１対１用提供情報ＨＪｉと称する。
【００３６】
一方、配信先条件設定部３００は、振分用メモリ７２０の１対ｎ用提供情報ＳＪｉをポイントＰｉの贈呈許可に設定する。
【００３７】
このポイントＰｉの贈呈許可された１対ｎ用提供情報ＳＪｉをポイント贈呈前贈呈者用提供情報ＳＰＪｉと称する。
【００３８】
なお、２０間経過した場合は、１対１用提供情報ＨＪｉの送り元プライベイト情報ＶＪａの非表示を解除に設定（表示に設定）する。
【００３９】
「褒められた人」宛情報提供部４００は、社員端末１６ｉから自分宛メッセージ要求情報ＭＭＪｉ（自分宛要求者名ｙｍｉ（Ａ１０：近藤）、要求時の現在時刻ｔｈｉ（例えば、４月１０日１０時４０分）、・・）の受信に伴って、これに含まれている自分宛要求者名ｙｍｉ（Ａ１０：近藤）を有する振分用メモリ７２０の１対１用提供情報ＨＪｉを指定する。
【００４０】
１対１用提供情報ＨＪｉが２時間前１対１用提供情報ＨＰＪｉ（プライベイト非表示）の場合は、２時間前「褒められた人」宛処理を起動（Ｓ２５０）し、２時間後１対１用提供情報ＨＱＪｉ（プライベイト表示）の場合は、２時間後「褒められた人」宛処理を起動（Ｓ２６０）する。
【００４１】
（２時間前「褒められた人」宛処理：２時間前１対１用提供処理（Ｓ２３０）ともいう）
２時間前「褒められた人」宛処理（Ｓ２３０）は、指定した２時間前１対１用提供情報ＨＰＪｉ（送り元プライベイト非表示）と、これに含まれている送り元名ａｉを有する贈呈者用メモリ７４０の後述する全ての受け手宛メッセージ情報ＰｍＪｉに含まれているポイント贈呈マーク情報ＭＪｉ（ポイントの絵、贈呈者名）等を組み合わせた情報（以下、贈呈マーク付メッセージ情報ＰＰＪｉという：（第１の受け手宛贈呈マーク付メッセージ情報ともいう）とを通信ネットワーク６０を介して送信させて図２（ｂ）に示す２時間前自分宛「褒められた人」用画面ＧＨＰｉ（受け手用閲覧画面ともいう）を表示させる。
前述のポイント贈呈マーク情報ＭＪｉには、他の社員（ポイント贈呈者）が送り元名（例えば、Ａ１（斉藤））に贈呈した贈呈マークＭｉ（花丸マークＭａｉ、飴マークＭｂｉ）が含まれ、かつこれらには贈呈者名ｂｇｉが割り付けられている。但し、図２（ｂ）においては、贈呈マークＭｉ（花丸マークＭａｉ、飴マークＭｂｉ）に割付けられている贈呈者のプライベイト情報について図示しない。
図２（ｂ）に示すように、２時間前自分宛「褒められた人」用画面ＧＨＰｉの写真エリアＰＥは褒め元の写真が「？マーク」、褒め元名ａｉは、「？マーク」となっている。また、送り元名（例えば、Ａ１（斉藤））に他の社員（贈呈者）が贈呈したポイント贈呈マークＭｉ（花丸マークＭａｉ、飴マークＭｂｉ）が表示されている。
【００４２】
つまり、「褒められた人」であるＡ１０（例えば、近藤）は、自分が褒められたメッセージを送った送り元（Ａ１（例えば、斉藤））に対して、他の社員が多くのポイント贈呈マークＭｉ（Ｍａｉ、Ｍｂｉ）を贈呈しているのにも係らず、２時間以内は、どんな人が自分に対してメッセージを送ったのかが分からないので、惑々することになる。
【００４３】
（２時間後「褒められた人」宛処理：２時間後１対１用提供処理（Ｓ２４０）ともいう）
２時間後「褒められた人」宛処理（Ｓ２４０）は、社員端末１６ｉから自分宛メッセージ要求情報ＭＭＪｉに含まれている自分宛要求者名ｙｍｉ（Ａ１０：近藤）と同じ受け手名を有する振分用メモリ７２０の２時間後１対１用提供情報ＨＱＪｉ（送り元プライベイト解除）と、この２時間後１対１用提供情報ＨＱＪｉに含まれている送り元名ａｉを有する贈呈者用メモリ７４０の受け手宛メッセージ情報ＰｍＪｉに含まれているポイント贈呈マーク情報ＭＪｉ（ポイントの絵、贈呈者名）と、返信コメント欄Ｒ等を組み合わせた情報（以下、２時間後送り元贈呈ポイント付提供情報ＱＱＪｉという：第２の受け手宛贈呈マーク付メッセージ情報ともいう）を通信ネットワーク６０を介して送信して図２（ｃ）に示す画面（以下、褒め先２時間後自分宛画面ＧＬｉという）を表示させる。
【００４４】
図２（ｃ）に示すように、写真エリアＰＥには、褒め元名のＡ１（斉藤）の写真が表示され、名前エリアには、褒め元名ａｉの名前（Ａ１：斉藤）が表示されている。すなわち、２時間後には「褒めた人」が誰であるかが分るようにした画面を表示させている。
【００４５】
また、２時間後には返信コメント欄Ｒが表示されているので、この返信コメント欄Ｒを用いて、褒め元であるＡ１（斉藤）に返信ができる。
【００４６】
「メッセージ共感人」宛情報提供部５００（贈呈ポイント者宛情報提供部ともいう）は、社員端末１６ｉからの自分が伝えたメッセージ要求情報ＭＲＪｉ（自分宛要求者名ｙｍｉ（Ａ１８：木村）、ｔｈｉ（例えば、４月１０日１１時３８分）、・・）の受信に伴って、これに含まれている要求者名ｙｍｉ（例えば、Ａ１８：木村）と同じ「ポイント贈呈者名ｂｇｉ（例えば、Ａ１８（木村）」を有する振分用メモリ７２０のポイント贈呈前贈呈者用提供情報ＳＰＪｉ（プライベイト非表示、Ｂｉ含む）を全て指定する。
【００４７】
そして、「メッセージ共感人」宛処理（Ｓ３００）を起動する。
【００４８】
（「メッセージ共感人」宛処理（Ｓ３００））
「メッセージ共感人」宛処理（Ｓ３００）は、指定したポイント贈呈前贈呈者用提供情報ＳＰＪｉに含まれている新規メッセージＮＭｉと、贈呈用ボックスＢｉ（花丸又は飴）とを組とした情報をボックス付ポイント贈呈者用情報ＳＰｍＪｉ（贈呈者用情報ともいう）として通信ネットワーク６０を介して送信して、自分宛２時間前「褒められた人を褒めた人」用画面ＧＰｉ（図３（ａ）参照）を表示させる。
図３（ａ）に示すように、写真エリアＰＥは褒め先名ｂｉ（Ａ１：近藤）の写真ｂｐｉが表示され、名前エリアには褒め先名ｂｉ（例えば、Ａ１０（近藤））が表示されている。
さらに、贈呈ボックスＢｉ（花丸贈呈ボックスＢａ、飴贈呈ボックスＢｂ）が表示されている。すなわち、褒め元名ａｉ（例えば、斉藤（Ａ１）と、褒め先名ｂｉ（例えば、Ａ１０（近藤））以外の社員が花丸又は飴を「褒め元」に提供できるようにしている。
【００４９】
つまり、「褒める人を褒める人」であるＡ１８（例えば、木村）は、褒め元プライベイト情報ＶＪａが誰であるかが分からないようにしている。従って、褒め元名によってポイントを贈呈しない又は贈呈するを防止できる。
この贈呈ボックスＢｉ（花丸贈呈ボックスＢａ、飴贈呈ボックスＢｂ）のカーソル指定及び図示しない送信ボタンの指定により、ボックス付ポイント贈呈者用情報ＳＰｍＪｉ（贈呈用ボックスＢｉ（花丸又は飴）、ＮＭｉ）に選択された贈呈ボックスＢｉ（花丸又は飴の識別コード）を付加させ、これを前述の受け手宛メッセージ情報ＰｍＪｉとして返信させる。
【００５０】
そして、この受け手宛メッセージ情報ＰｍＪｉを贈呈者用メモリ７４０に記憶する。
【００５１】
一方、「メッセージ共感人」宛情報提供部５００は、贈呈者用メモリ７４０の受け手宛メッセージ情報ＰｍＪｉに含まれている褒め元名ａｉ（Ａ１：斉藤）を有する社員情報を指定し、この社員情報に含まれている現獲得ポイントＰＮｉに受け手宛メッセージ情報ＰｍＪｉに含まれている贈呈ボックスＢｉのポイントＰｉ（花丸又は飴）を数値にして加算する。
【００５２】
褒めた人宛情報提供部７００は、社員端末１６ｉ（例えば、Ａ１（斉藤））から自分が貰ったメッセージ要求情報ＭＲＪｉ（（自分宛要求者名ｙｍｉ（Ａ１：斉藤）、ｔｈｉ（例えば、４月１０日１２時３８分）、・・）の受信に伴って、これに含まれている自分宛要求者名ｙｍｉ（Ａ１０：近藤）を有する振分用メモリ７２０のポイント贈呈前贈呈者用提供情報ＳＰＪｉを指定する。
【００５３】
そして、この指定毎に、２時間前「褒めた人」贈呈ポイント画面提供処理（Ｓ３００）を行う。
【００５４】
（２時間前「褒めた人」贈呈ポイント画面提供処理（Ｓ３００））
２時間前「褒めた人」贈呈ポイント画面提供処理（Ｓ３００）は、自分が貰ったメッセージ要求情報ＭＲＪｉ（（要求者名ｙｍｉ（Ａ１：斉藤）、ｔｈｉ（例えば、４月１０日１２時３８分）、・・）に含まれている要求者名ｙｍｉ（Ａ１：斉藤）を有する贈呈者用メモリ７４０の受け手宛メッセージ情報ＰｍＪｉを全て指定する。
【００５５】
そして、この指定毎に、これに含まれている選択された贈呈ボックスＢｉの贈呈マークＭｉ（花丸マークＭａｉ又は飴マークＭｂｉ）に、指定した受け手宛メッセージ情報ＰｍＪｉ（第１の受け手宛贈呈マーク付メッセージ情報）に含まれている送り手名（例えば、Ａ１８（木村））を割付ける。
そして、これらのマークを組（以下、贈呈者名無マーク群ＰＭｉという）とし、この贈呈者名無マーク群ＰＭｉと、いずれかの受け手宛メッセージ情報ＰｍＪｉに含まれている新規メッセージＮＭｉ等を組とした情報を贈呈者側褒め元用提供情報ＰａＪｉとして贈呈者用メモリ７４０に生成する。
【００５６】
そして、この贈呈者側褒め元用提供情報ＰａＪｉを通信ネットワーク６０を介して、その端末（例えば、Ａ１（斉藤））に送信し、図３（ｂ）に示す贈呈者側褒めた人宛用画面ＧＱＬｉ（端末時刻は例えば、４月１０日１２時３８分：投稿から２時間経過）を表示させる。
【００５７】
すなわち、図３（ｂ）に示すように、この花丸、飴には、花丸又は飴のポイント贈呈者名ｂｇｉ（「メッセージ共感人」の名前）が関連付られている。このため、Ａ１（近藤）が花丸マークＭａｉ又は飴マークＭｂｉをカーソル指定すると、Ａ１０（例えば、近藤）を褒めた自分Ａ１（斉藤）が花丸又は飴を贈った人（褒められた人を褒めた人）である他の社員が誰かがわかる。
【００５８】
次に、サーバ１０００の構成を図４を用いてさらに詳細に説明する。
図４においては、「褒める人」宛情報提供部１００と、メッセージ振分部２００と、配信条件設定部３００と、「褒められた人」宛情報提供部４００とを示して説明する。
さらに、送受信部１２０と、利用判定部１３０と、褒め獲得ポイント付ヘッダ１４０と、要求情報判定部１６０等を備えている。
【００５９】
利用判定部１３０は、通信ネットワーク６０からのログインＩＤ、パスワードを利用者識別情報ＵＪｉとし、この利用者識別情報ＵＪｉが社員マスタ８００に存在する場合に利用を許可して、褒め獲得ポイント付ヘッダ１４０を起動する。
褒め獲得ポイント付ヘッダ１４０は、利用者識別情報ＵＪｉを有する社員情報ＥＪｉを社員マスタ８００より検索する。そして、この社員情報ＥＪｉの現在の獲得ポイントＰＮｉを読み込むと共に、キャラクタＫｉを読み込む。
【００６０】
そして、キャラクタＫｉと獲得ポイントＰＮｉとを獲得ポイント贈呈アイコン部ＫＡｉとし、さらに、新規メッセージ作成ボタンＮＭＢと、自分宛メッセージ要求ボタンＭＭＢと、メニューボタン等を組み合わせた褒め獲得ポイント付部分情報ｈＪｉを送受信部１２０を介して通信ネットワーク６０を介して送信する。但し、キャラクタＫｉは動く（ＧＩＦ）ようにしている（図２、図３参照）。
【００６１】
要求情報判定部１６０は、通信ネットワーク６０を介して入力された社員端末１６ｉからの各種要求情報の種類を判定して該当する部を起動させる。
「褒める人」宛情報提供部１００は、「褒める人」の端末である社員端末１６ｉ（例えば、社員Ａ１端末１６ａ）からの新規メッセージ作成要求情報ＮＪｉ（利用者識別情報ＵＪｉ、ｔｈｉ）を図示しないメモリに記憶する。
そして、予め記憶されている新規メッセージ作成用基本フォームＦｉｏ（図示せず）を通信ネットワーク６０を介して社員端末１６ｉ（例えば、Ａ１）に送信する。
【００６２】
この新規メッセージ作成用基本フォームＦｏに基づいて作成された、社員端末１６ｉ（例えば、Ａ１）からの新規メッセージ作成画面ＧＮＭｉ（図２（ａ）参照）の新規メッセージ情報ＮＭＪｉを受信した場合は、新規メッセージ用メモリ７１０に記憶する。
図２（ａ）は褒め元であるＡ１（例えば、斉藤）が作成した新規メッセージ作成画面ＧＮＭｉである。この新規メッセージ作成画面ＧＮＭｉは、ｔｈｉが「４月１０日１０時３８分（なお、年度は、秒は記載しない）」となっている。
【００６３】
また、褒め先名ｂｉ（例えば、Ａ１０（近藤）及び褒め先の写真ｂｐｉ（近藤の写真）である褒め先プライベイト情報Ｖｂｉが表示されている。
さらに、褒め獲得ポイント付部分ｈｉ（褒め獲得ポイント付ヘッダともいう）が表示されている。例えば、図２（ａ）の褒め獲得ポイント付部分ｈｉには、「メッセージ共感人」から贈呈された「花丸又は飴」の獲得ポイントＰＮｉと、「褒めた人」であるＡ１（斉藤）が取得しているキャラクタＫｉが表示されている。この獲得ポイントＰＮｉとキャラクタＫｉとを総称して本実施の形態では、獲得ポイント贈呈アイコン部ＫＡｉと称する。
【００６４】
また、褒め獲得ポイント付部分ｈｉには、新規メッセージ作成ボタンＮＭＢと、自分宛メッセージ要求ボタンＭＭＢと、メニューボタン等が表示されている。このヘッダ部分ｈｉについては後述する。
また、配信条件設定部３００は、タイマ３１０と、プライベイト非表示設定部３３０と、プライベイト解除部３４０等を備えている。
プライベイト非表示設定部３３０は、振分用メモリ７２０に新規メッセージ情報ＮＭＪｉを指定する。
【００６５】
そして、指定した褒める新規メッセージ情報ＮＭＪｉを非表示に設定するプライベイト非表示フラグを付加すると共に、ポイントＰｉ（花丸又は飴）を贈呈することを不許可に設定するポイント贈呈不許可フラグを付加する。さらに、褒め元と褒め先とで１対１で直ぐにメールが始まらないように、返信コメント欄不可フラグ等を付加した２時間前１対１用提供情報ＨＰＪｉを生成する。
【００６６】
一方、プライベイト非表示設定部３３０は、振分用メモリ７２０の２時間前１対１用提供情報ＨＰＪｉを指定し、この指定毎に、タイマ３１０を起動させ、２時間経過したときは、プライベイト解除部３４０を起動する。
プライベイト解除部３４０は、起動に伴って（２時間経過）、この２時間前１対１用提供情報ＨＰＪｉに含まれているプライベイト情報ＶＪｉを表示に設定（非表示を解除：褒め元名ａｉ（例えば、Ａ１（斉藤））及び褒め先名ｂｉ（例えば、Ａ１０（近藤）とも）に設定し、かつ返信コメント欄不可フラグに変えて返信コメント欄許可フラグを付加した２時間後１対１用提供情報ＨＱＪｉを生成する。
【００６７】
さらに、配信先条件設定部３００は。図５に示すように、ポイント不許可設定部３５０とポイント許可設定部３６０とを備えている。
ポイント不許可設定部３５０は、振分用メモリ７２０の１対１用提供情報ＨＪｉ（ＨＰＪｉ、ＨＱＪｉ）のポイントＰｉの贈呈を不許可に設定する。また、ポイント許可設定部３６０は、振分用メモリ７２０の１対ｎ用提供情報ＳＪｉのポイントＰｉの贈呈を許可に設定する。
【００６８】
また、「メッセージ共感人」宛情報提供部５００は、図６に示す褒めポイント更新部５５０が接続されている。
褒めポイント更新部５５０は、贈呈者用メモリ７４０の受け手宛メッセージ情報ＰｍＪｉを指定し、この指定毎に社員マスタ８００のこの受け手宛メッセージ情報ＰｍＪｉに含まれている褒め元名ａｉ（Ａ１：近藤）を有する社員情報を指定し、この社員情報に含まれている獲得ポイントＰＮｉ（獲得ポイント値）に対して受け手宛メッセージ情報ＰｍＪｉ（ＰｍＪ１、ＰｍＪ２、・・・）に含まれているポイントＰｉ（花丸又は飴）を数値にして加算する。
【００６９】
＜動作説明＞
上記のように構成されたコミュニケーションシステムについて以下のシーケンス図を用いて説明する。但し、送り元を褒め元、送り先を褒め先として説明する。
図７のシーケンスは、褒める人（Ａ１）が新規メッセージＮＭｉを生成して、これを複数の贈呈者用と送り先用とに振り分け、かつ送り元プライベイト情報ＶＪａを非表示、解除する場合の過程を説明する。このシーケンス図の説明を実施の形態１として説明する。
【００７０】
＜実施の形態１＞
図７に示すように、社員Ａ１（斉藤）は、社員Ａ１端末１６ａを操作してログインＩＤ及びパスワード（利用者識別情報ＵＪｉ）を通信ネットワーク６０を介して送信してサーバ１０００にログインする（ｄ１）。
【００７１】
具体的には、図４に示す送受信部２１０がこの利用者識別情報ＵＪｉを受信してメモリ９００に記憶して利用判定部１３０に送出する。利用判定部１３０は、社員マスタ８００（図９参照）に、この利用者識別情報ＵＪｉを有する社員情報ＥＪｉが存在する場合は、ログインを受付けて各部を起動する。褒め獲得ポイント付ヘッダ提供部１４０は、ヘッダ画面提供処理（Ｓ１０）を行う（ｄ３）。
【００７２】
ヘッダ画面提供処理（Ｓ１０：褒めポイント付ヘッダ提供部ともいう）は、社員マスタ８００（図８参照）に記憶されている社員Ａｉ（社員Ａ１（斉藤））の利用者識別情報ＵＪｉが関連付けられている獲得ポイントＰＮｉ（例えば、２０００点）と、キャラクタＫｉ（例えばライオン）とを読込む。
そして、ヘッダ画面用フォーム（図示せず）の該当のエリアにキャラクタＫｉ（例えばライオン）と獲得ポイントＰＮｉ（例えば、２０００点）等を書込んだ褒め獲得ポイント付部分ｈｉのヘッダ画面情報を生成する。
【００７３】
そして、送受信部１２０に送出し、通信ネットワーク６０を介して社員Ａ１（斉藤）の社員端末１６ａに送信させる（ｄ５）。
一方、社員Ａ１端末１６ａは、褒め獲得ポイント付部分ｈｉを受信し、ブラウザ機能で図２（ａ）に示す褒め獲得ポイント付部分ｈｉの画面を表示する（ｄ７）。
図２（ａ）に示すように、獲得ポイント贈呈アイコン部ＫＡｉには、Ａ１（斉藤）が取得していキャラクタＫｉ（ＧＩＦ）と、獲得ポイントＰＮｉとが表示されているので、Ａ１（斉藤）は、常に獲得ポイントＰＮｉを増やそうと意識することになる。
【００７４】
そして、Ａ１（斉藤）は、社員Ａ１端末１６ａを操作して、新規メッセージ作成ボタンＮＭＢを選択した場合は、社員Ａ１端末１６ａは、新規メッセージ作成要求情報ＮＪｉ（ＵＪｉ、新規メッセージ作成要求者名ｙａｉ（Ａ１（斉藤））、ｔｈｉ、・・）を通信ネットワーク６０を介してサーバ１０００に送信する（ｄ９）。
【００７５】
サーバ１０００の図４に示す送受信部１２０は、この新規メッセージ作成要求情報ＮＪｉを受信してメモリ９００に記憶して、要求情報判定部１６０に出力する。
要求情報判定部１６０は、新規メッセージ作成要求情報ＮＪｉの選択ボタン（新規メッセージ作成ボタンＮＭＢ）の種別を判定する（ｄ１１）。
【００７６】
選択ボタンの種別が新規メッセージ作成ボタンＮＭＢの場合は、「褒める人」情報提供部１００を起動する。
「褒める人」宛情報提供部１００は、新規メッセージ作成画面提供処理（Ｓ１００）を行う（ｄ１３）。新規メッセージ作成画面提供処理（Ｓ１００）について図９のフローチャートを用いて説明する。
「褒める人」宛情報提供部１００は、図９に示すように、新規メッセージ作成要求情報ＮＪｉを図示しないメモリに記憶する（Ｓ１０２）。
【００７７】
そして、新規メッセージ作成用基本フォームＦｉｏ（図示せず）を図示しないメモリより引き当てる（Ｓ１０４）。
次に、新規メッセージ作成要求情報ＮＪｉに含まれている利用者識別情報ＵＪｉの社名の社員情報ＥＪｉを社員マスタ８００（図８参照）より引き当てる（Ｓ１０６）。
次に、新規メッセージ作成用基本フォームＦｉｏの宛先欄（褒め先名入力欄ＮＧａともいう）に社員マスタ８００の全ての社員名をファイル（社員ファイルともう）として付ける（Ｓ１０８）。
【００７８】
そして、これらを新規メッセージ入力画面情報ＮＧＪｉとして送受信部１２０を用いて通信ネットワーク６０を介して社員Ａ１端末１６ａに送信させる（Ｓ１１２、図７のｄ１５）。
一方、図７に示すように、社員Ａ１端末１６ａ（Ａ１：斉藤）は、新規メッセージ入力画面情報ＮＧＪｉを受信し、ブラウザ機能によって図１０（ａ）に示す新規作成画面ＮＧｉを画面に表示する（ｄ１７）。
【００７９】
図１０（ａ）に示す新規作成画面ＮＧｉは、受け手名（褒め先名ｂｉ）の入力欄（褒め先名入力欄ＮＧａ、新規メッセージ入力欄ＮＧｂ等よりなる。
この褒め先名入力欄ＮＧａをカーソル指定した場合は、図１０（ｂ）に示すように、褒め先名入力欄ＮＧａに割り付けられている複数のポイントＰｉの贈呈者名ｂｇｉとなる社員名の社員ファイルＥＦｉを表示する。社員Ａ１（斉藤）は、社員Ａ１端末１６ａを操作して、褒める相手の社員名を受け手名ｂｉとして選択する。この選択された社員名を以下の説明では、「褒め先」名ｂｉと称して説明する。
【００８０】
また、図７に示すように、社員Ａ１端末１６ａ（Ａ１：斉藤）は、「褒め先」名ｂｉ（近藤）の選択に伴って、この「褒め先」名ｂｉ（近藤）と利用者識別情報ＵＪｉ等を通信ネッワーク６０を介してサーバ１０００に送信する（ｄ１９）。
【００８１】
図７に示すように、サーバ１０００の送受信部１２０（図４参照）は、これを受信し、「褒める人」宛情報提供部１００に出力する。「褒める人」宛情報提供部１００は、受信した「褒め先」名ｂｉ（近藤）を有する社員情報ＥＪｉを社員マスタ８００より抽出し、この「褒め先」名ｂｉ（近藤）の写真ｂｐｉを送受信部１２０を用いて通信ネットワーク６０を介して社員Ａ１端末１６ａ（Ａ１：斉藤）に送信して図２（ａ）に示すように、褒め獲得ポイント付部分ｈｉと新規メッセージ入力欄ＮＧｂと共に表示させる（ｄ２１）。
【００８２】
社員Ａ１（斉藤）は、社員Ａ１端末１６ａを操作して、例えば図２（ａ）に示すように、褒め先（Ａ１０：近藤）を褒める新規メッセージＮＭｉを新規メッセージ入力欄ＮＧｂに書き込んで、新規メッセージ作成画面ＧＮＭｉを作成する（ｄ２３）。この新規メッセージ作成画面ＧＮＭｉは、ｔｈｉが「４月１０日１０時３８分（なお、年度は、秒は記載しない）」となっている。
【００８３】
また、「褒め先」名ｂｉ（例えば、Ａ１０（近藤）及び「褒め先」の写真ｂｐｉ（近藤の写真）である褒め先プライベイト情報Ｖｂｉが表示されている。
社員Ａ１端末１６ａは、送信ボタンの選択で、この新規メッセージ作成画面ＧＮＭｉ（ＧＮＭ１）の新規メッセージ情報ＮＭＪｉ（褒め元名ａｉ（Ａ１）、褒め先名ｂｉ（Ａ１０）、投稿時刻ｔｈｉ、新規メッセージＮＭｉ等）を通信ネットワーク６０を介してサーバ１０００に送信する（ｄ２５）。
【００８４】
サーバ１０００の送受信部１２０（図４参照）は、この新規メッセージ情報ＮＭＪｉを受信してメッセージ振分け・配信条件設定処理（Ｓ２３０）を行わせる（ｄ２７）。
メッセージ振分け・配信条件設定処理（Ｓ２３０）は、「褒める人」宛情報提供部１００、メッセージ振分部２００、配信条件設定部３００によって行う。但し、「褒める人」宛情報提供部１００については図９のフローチャートを用いて説明する。
【００８５】
「褒める人」宛情報提供部１００は、図９に示すように、新規メッセージ情報ＮＭＪｉの受信かどうかを判定している（Ｓ１１４）。
ステップＳ１１４において、新規メッセージ情報ＮＭＪｉの受信と判定した場合は、褒め元（例えば、Ａ１）が投稿した新規メッセージ情報ＮＭｊｉ（図１１（ａ）参照）として番号等を付加して新規メッセージ用メモリ７１０に記憶する（Ｓ１１６）。
【００８６】
この新規メッセージ情報ＮＭＪｉは、図１１（ａ）に示すように、新規メッセージ情報番号ＮＭＢｉと、褒め元名ａｉ（Ａ１）と、褒め先名ｂｉ（Ａ１０）と、ｔｈｉ（ｔｈｉ）と、新規メッセージＮＭｉと、利用者識別情報ＵＪｉ（ＵＪ１）等よりなる。
そして、「褒める人」宛情報提供部１００は、メッセージ振分部２００を起動し（Ｓ１１８）、ログアウトかどうかを判断する（Ｓ１２０）。ログアウトでない場合は、処理をステップＳ１０２に戻す。
【００８７】
また、ステップＳ１１４において、新規メッセージ情報ＮＭＪｉの受信ではないと判定した場合は、キャンセルかどうかを判断する（Ｓ１２２）。キャンセルでない場合は、処理をステップＳ１１４に戻す。
また、キャンセルの場合は、前のページに移動させて（Ｓ１２４）、処理をステップＳ１２０に戻す。
次に、メッセージ振分部２００及び配信先条件設定部３００の処理を図１２を用いて説明する。
【００８８】
メッセージ振分部２００及び配信先条件設定部３００は、新規メッセージ用メモリ７１０に新規メッセージ情報ＮＭＪｉが記憶される毎に、２時間前１対１用提供処理（Ｓ２３０：２時間前「褒められた人」用処理ともいう）を行う。
また、振分用メモリ７２０に２時間前１対１用提供情報ＨＰＪｉが生成される毎に２時間後１対１提供処理（Ｓ２４０：２時間後褒められた人用処理ともいう）を行う。
【００８９】
（２時間前褒められた人用処理（Ｓ２３０）：２時間前１対１用提供処理）
２時間前褒められた人用処理（Ｓ２３０）は、メッセージ振分部２００がこの新規メッセージ情報ＮＭＪｉ（Ａ１（斉藤）→Ａ１０（近藤）：ｔｈｉ（「４月１０日１０時３８分」））を振分用メモリ７２０に順次、記憶する（Ｓ２３１、図７のｄ２９）。
次に、配信条件設定部３００のプライベイト非表示情報設定部３３０（図４参照）は、この新規メッセージ情報ＮＭＪｉ（Ａ１（斉藤）→Ａ１０（近藤）：ｔｈｉ（「４月１０日１０時３８分」））を順に指定する（Ｓ２３２）。
【００９０】
そして、この指定毎に、新規メッセージ情報ＮＭＪｉに、２時間前フラグｆｍｐを関連付けると共に、受け手（例えば、Ａ１０（近藤）が直ぐに返信できないようにするために返信コメント欄制御フラグｆｒを不可にした図１１（ｂ）に示す２時間前１対１用提供情報ＨＰＪｉ（単にプライベイト非表示情報ともいう）を振分用メモリ７２０に生成する（Ｓ２３５）。
図１１（ｂ）に示すように、２時間前１対１用提供情報ＨＰＪｉは、２時間前１対１用提供情報番号と、ｔｈｉ（例えば、４月１０日１０時３８分）と、利用者識別情報ＵＪｉと、新規メッセージＮＭｉ（例えば、Ａ１がＡ１０を褒めた）と、褒め先名ｂｉ（例えば、Ａ１０）等が関連付けられている。
【００９１】
また、褒め元名ａｉ（例えば、Ａ１（斉藤））の表示制御フラグａｆは（×：フラグ）にされ、褒め元名ａｉ（例えば、Ａ１（斉藤）写真制御フラグａｐｆは（×）にされている。この褒め元名ａｉの表示制御フラグａｆと、褒め元名ａｉの写真制御フラグａｐｆとを総称して褒め元プライベイト制御フラグＦｐと称する。
つまり、２時間前は褒め元名ａｉ（例えば、Ａ１（斉藤））は非表示に設定されている。
【００９２】
さらに、図５に示す配信条件設定部３００のポイント不許可設定部３５０が、振分用メモリ７２０の２時間前１対１用提供情報ＨＰＪｉのポイント贈呈制御フラグＰｆを不許可（×）にし、また、「褒めた人」宛情報提供部６００は、既読未読フラグｆｍを未読にして関連付ている（図１１（ｂ）参照）。
次に、振分用メモリ７２０に新規メッセージ情報ＮＭＪｉが他にあるかどうかを判断する（Ｓ２３６）。
【００９３】
ステップＳ２３６において、新規メッセージ情報ＮＭＪｉが他にあると判定した場合は、次の新規メッセージ情報ＮＭＪｉ（ＮＭＪｉ＋１）に更新して処理をステップＳ２３１に戻す（Ｓ２３１）。
【００９４】
（２時間後褒められた人用処理（Ｓ２４０）：２時間後１対１用提供処理）
２時間後褒められた人用処理（Ｓ２４０）について図１２（ｂ）のフローチャートを用いて以下に説明する。
２時間後褒められた人用処理（Ｓ２４０）は、配信条件設定部３００のプライベイト解除部３４０が、振分用メモリ７２０の２時間前１対１用提供情報ＨＰＪｉを順次、指定する（Ｓ２４１）。
そして、この２時間前１対１用提供情報ＨＰＪｉに含まれているｔｈｉ（例えば、「４月１０日１２時３８分」））とタイマ３１０の現在時刻Ｔｉとの差が２時間以上（例えば、２時間０分０１秒）かどうかを判断する（Ｓ２４２）。
【００９５】
２時間以上の場合は、２時間前１対１用提供情報ＨＰＪｉに基づく２時間後１対１用提供情報ＨＱＪｉ（図１５参照）を生成し（Ｓ２４３）、これを振分用メモリ７２０に記憶する（図７のｄ３３）。
そして、他に２時間前１対１用提供情報ＨＰＪｉが振分用メモリ７２０に存在するかどうかを判断する（Ｓ２４４）。
存在する場合は、次の２時間前１対１用提供情報ＨＰＪｉに更新して処理をステップＳ２４２に戻す（Ｓ２４５）。
【００９６】
前述の２時間後１対１用提供情報ＨＱＪｉは、図１５に示すように、２時間後１対１用提供情報ＨＱＪｉ（例えば、ＨＱＪ１）は、２時間後１対１用提供情報番号と、ｔｈｉ（例えば、４月１０日１２時３８分）と、利用者識別情報ＵＪｉと、新規メッセージＮＭｉ（例えば、Ａ１がＡ１０を褒めた）等が関連付けられている。
さらに、褒め元用プライベイト制御フラグＦｐは、褒め元名ａｉが表示（○：表示許可フラグ）にされ、褒め元名ａｉ（例えば、Ａ１（近藤））の写真ａｐｉが表示（○）にされている。
【００９７】
また、２時間後フラグｆｍｑが関連付けられる。なお、既読末フラグｆｍは、この新規メッセージＮＭｉがＡ１０によって見られた場合に既読に設定される。但し、ポイント贈呈制御フラグｆｒｉは、図５のポイント不許可設定部３５０によって、Ａ１用と、Ａ１０用については褒め元、褒め先同士でポイントが贈呈されないように不許可（×）のままにする。
つまり、２時間後は、褒め元名ａｉ（例えば、Ａ１（斉藤））及び褒め元写真ａｐｉ（Ａ１）、表示に設定されている。
さらに、メッセージ振分部２００は、１対ｎ用メッセージ振分処理（Ｓ３００）を行う。１対ｎ用メッセージ振分処理（Ｓ３００）についてはフローチャートを用いないで説明する。
【００９８】
（１対ｎ用メッセージ振分け処理（Ｓ３００））
１対ｎ用メッセージ振分け処理（Ｓ３００）は、振分用メモリ７２０の２時間前１対１用提供情報ＨＰＪｉを指定する。
そして、この２時間前１対１用提供情報ＨＰＪｉに含まれている褒め元名ａｉ（例えば、Ａ１（斉藤））が属する社員マスタ８００の所定の社員名又は全ての社員名（Ａ１、Ａ２、・・）を、「褒めた人」（Ａ１：斉藤（褒めた人））に対して、花丸又は飴のポイントを贈呈させるためのポイント贈呈者名ｂｇｉ（ｂｇ１、ｂｇ２、・・・：メッセージ共感人名ともいう）とする。
【００９９】
そして、これらのポイント贈呈者名ｂｇｉ（ｂｇ１、ｂｇ２、・・・）毎に、新規メッセージＮＭｉの褒め元名ａｉ（例えば、Ａ１（近藤））と、新規メッセージＮＭｉと、ｔｈｉ（「４月１０日１０時３８分」）等を関連付けて１対ｎ用提供情報ＳＪｉ（ポイント贈呈者用提供情報）として生成し、これを振分用メモリ７２０に記憶する（図７のｄ３５）。
つまり、１対ｎ用提供情報ＳＪｉ（ポイント贈呈者用提供情報）は、褒め元名ａｉ（例えば、Ａ１（斉藤））に対して複数、生成される（図１３参照）。このとき、ポイント不許可設定部３５０は、１対１用提供情報ＨＪｉ（ＨＰＪｉ、ＨＱＪｉ）のポイントＰｉの贈呈を不許可に設定する。
【０１００】
そして、配信先条件設定部３００のポイント許可設定部３６０（図５）は、１対ｎ用提供情報ＳＪｉをポイント贈呈許可にする（ｄ３７）。そして、ログアウトかどうかを判定する（ｄ３９）。ログアウトでない場合は、処理をｄ１１に戻す。
【０１０１】
次に、褒められた人（Ａ１０）のシーケンスを実施の形態２として図１４を用いて説明する。
【０１０２】
＜実施の形態２＞
図１４に示すように、社員Ａ１０（近藤）は、社員Ａ１０端末１６ｊを操作して利用者識別情報ＵＪｉを通信ネットワーク６０を介してサーバ１０００にログインする（ｄ４１）
このログインに伴って、褒め獲得ポイント付ヘッダ提供部１４０は、ヘッダ画面提供処理を行う（ｄ４３）。
【０１０３】
ヘッダ画面提供処理（褒めポイント付ヘッダ提供部）は、社員マスタ（図８参照）に記憶されている社員Ａ１０（近藤）の利用者識別情報ＵＪｉが関連付けられている現在の獲得ポイントＰＮｉと、キャラクタＫｉ（例えば魚）とを読込む。
そして、ヘッダ画面用フォーム（図示せず）の該当のエリアにキャラクタＫｉ（例えば、魚）と獲得ポイントＰＮｉ（例えば、１０００点）等を書き込んだＡ１０用の褒め獲得ポイント付部分ｈｉのヘッダ画面情報を生成する。
【０１０４】
そして、送受信部１２０に送出し、通信ネットワーク６０を介して社員Ａ１０（近藤）の社員端末１６ｊに送信させる（ｄ４５）。
一方、社員Ａ１０端末１６ｊは、褒め獲得ポイント付部分ｈｉを受信し、ブラウザ機能で図２（ｂ）に示す褒め獲得ポイント付部分ｈｉの画面を表示する（ｄ４７）。
図２（ｂ）に示すように、獲得ポイント贈呈アイコン部ＫＡｉには、Ａ１０（近藤）が取得していキャラクタＫｉと、Ａ１０の現在の獲得ポイントＰＮｉとが表示されているので、Ａ１０（近藤）は、常に現在の獲得ポイントＰＮｉを増やそうと意識することになる。
そして、Ａ１０（近藤）は、社員Ａ１０端末１６ｊを操作して、例えば自分宛要求ボタンＭＭＢを選択する（ｄ４９）。
【０１０５】
自分宛要求ボタンＭＭＢを選択した場合は、社員Ａ１０端末１６ｊは、自分宛メッセージ要求情報ＭＭＪｉ（要求者名ｙｍｉ（Ａ１０：近藤）、ｔｈｉ（例えば、４月１０日１０時４０分）、・・））を通信ネットワーク６０を介してサーバ１０００に送信する（ｄ５１）。
サーバ１０００の送受信部１２０は、この自分宛メッセージ要求情報ＭＭＪｉを受信してメモリ９００に記憶して、要求情報判定部１６０に出力する。
【０１０６】
要求情報判定部１６０は、自分宛メッセージ要求情報ＭＭＪｉを「褒められた人」宛情報提供部４００に出力する。
「褒められた人」宛情報提供部４００は、自分宛メッセージ要求情報ＭＭＪｉ（自分宛要求者名ｙｍｉ（Ａ１０：近藤）、ｔｈｉ（例えば、４月１０日１０時４０分）、自分宛要求コマンド、・・））に含まれている利用者識別情報ＵＪｉ、褒め先名（Ａ１０）を有する振分用メモリ７２０の１対１用提供情報ＨＪｉを指定する。
そして、この指定毎に、１対１用提供情報ＨＪｉが２時間前１対１用提供情報ＨＰＪｉ又は２時間後１対１用提供情報ＨＱＪｉのどちらかであるかを判断する（ｄ５３）。
【０１０７】
２時間前１対１用提供情報ＨＰＪｉの場合は、２時間前「褒められた人」宛処理（Ｓ２５０）を起動する（ｄ５５）。
【０１０８】
（２時間前「褒められた人」宛処理（Ｓ２５０））
「褒められた人」宛情報提供部４００は、振分用メモリ７２０の指定した２時間前１対１用提供情報ＨＰＪｉを読み込む（ｄ５４）。
そして、この２時間前１対１用提供情報ＨＰＪｉ（送り元プライベイト非表示、ポイント贈呈不可、返信欄無、贈呈ボックス無）と、これに含まれている褒め元名ａｉを有する贈呈者用メモリ７４０の全ての受け手宛メッセージ情報ＰｍＪｉを指定する。この指定範囲は一定期間（例えば、１日、２日又は３日・・・・・２０日）の間のものを指定する。
そして、これらの受け手宛メッセージ情報ＰｍＪｉに含まれているポイント贈呈マーク情報ＭＪｉ（ポイントの絵、贈呈者名）といずれかの受け手宛メッセージ情報ＰｍＪｉ等を組み合わせた贈呈マーク付メッセージ情報ＰＰＪｉを生成する。そして、これを自分宛メッセージ要求情報ＭＭＪｉを要求した社員端末１６ｊ（例えば、Ａ１０：近藤）に通信ネットワーク６０を介して送信する（ｄ５９）。
【０１０９】
一方、社員端末１６ｊ（例えば、Ａ１０：近藤）は、贈呈マーク付メッセージ情報ＰＰＪｉを受信して、ブラウザ機能によって、その情報に基づく２時間前自分宛「褒められた人」用画面ＧＨＰｉ：図２（ｂ）参照）を表示する（ｄ６１）。
この送信に伴って、「褒められた人」宛情報提供部４００は、図１１（ｂ）に示す２時間前１対１用提供情報ＨＰＪｉの既読未読フラグｆｍを既読に設定する。
【０１１０】
図２（ｂ）には、社員Ａ１０端末１６ｊに表示された２時間前褒められた人宛用情報ＨｐｐＪｉに基づく２時間前自分宛「褒められた人」用画面ＧＨＰｉを示す。
すなわち、褒められた人であるＡ１０（例えば、近藤）は、自分が褒められたメッセージを送った送り元（Ａ１（例えば、斉藤））に対して、他の社員が多くのポイント贈呈マークＭｉ（Ｍａｉ、Ｍｂｉ）を贈呈しているのにも係らず、２時間以内は、どんな人が自分に対してメッセージを送ったのかが分からない。このため、褒められた人（Ａ１０（近藤））の心理状態は、惑々状態になる。
【０１１１】
２時間の間、褒め手名（送り手名ともいう）が分からないようにしている理由の一つは、褒めた人（褒め元）が誰であるかが直ぐに分かると、例え返信不可にしてあっても、何等かの手法（例えば、電話、メール）で連絡をとろうとするのが普通である。
また、「褒めた人（褒め元名）」が直ぐにわかると、あまりありがたさを感じない。ある程度、時間をおいてから「褒めた人（褒め元名）」が分かった方がありがたさを感じるのが人間の心理である。
【０１１２】
一方、勤務は例えば朝の９時又は１０時から開始するのが一般的である。朝出勤して自分宛メールを要求して、直ぐに送り手（褒め元）からのメールを見て、これに対する返信が直ぐにできるようにすると、ショートメールであっても普通は、数十文字、２００文字程度になる。
自分宛のショートメールが複数ある場合は、返信するだけでも、相当の時間を要する。また、出勤したばかりで、メール返信に没頭することになる。
【０１１３】
また、出勤したばかりで、メールをやり続けると周囲の社員も気にすることになる。実験の結果、周囲の他の社員は、その社員が業務を開始してから２時間程度で、自分以外の社員の勤務状況に矯味を示さなくなる傾向にある。また、普通の会社は、２時間又は３時間程度で休憩を与えることが多い。
このため、本実施の形態では、２時間経過するまでは褒め元が誰であるかが分からないようにしていると共に、返信ができないようにしている。
【０１１４】
（２時間後「褒められた人」宛処理（Ｓ２６０））
「褒められた人」宛情報提供部４００は、社員端末１６ｉから自分宛メッセージ要求情報ＭＭＪｉ（（自分宛要求者名ｙｍｉ（Ａ１０：近藤）、ｔｈｉ（例えば、４月１０日１０時４０分）、・・）に含まれている自分宛要求者名ｙｍｉ（Ａ１０：近藤）を有する振分用メモリ７２０の２時間後１対１用提供情報ＨＱＪｉ（図１５参照：例えば、褒め元Ａ１（斉藤）、褒め先Ａ１０（近藤）、ｔｈｉ（４月１０日１０時３８分）、プライベイト情報ＶＪｉ解除、返信コメント欄許可、既読未読フラグ）を全て指定する。
そして、この指定毎に、指定した２時間後１対１用提供情報ＨＱＪｉに含まれている既読未読フラグが未読の場合は、指定した２時間後１対１用提供情報ＨＱＪｉを読込む（ｄ６３）。
【０１１５】
そして、２時間後１対１用提供情報ＨＱＪｉに含まれている褒め元名ａｉ（Ａ１：斉藤）に関連付けられている社員マスタ８００の写真（Ａ１：斉藤）を読み込む（ｄ６５）。
そして、この写真（Ａ１：斉藤）と、２時間後１対１用提供情報ＨＱＪｉの褒め元名ａｉを有する贈呈者用メモリ７４０の受け手宛メッセージ情報ＰｍＪｉを読込む。そして、これに含まれているポイント贈呈マーク情報ＭＪｉ（ポイントの絵、贈呈者名）と、返信コメント欄Ｒ、新規メッセージＮＭｉ等を組み合わせた２時間後送り元贈呈ポイント付提供情報ＱＱＪｉ（第２の受け手宛贈呈マーク付メッセージ情報）を通信ネットワーク６０を介してＡ１の社員端末１６ａに送信する（ｄ６７）。
【０１１６】
一方、Ａ１の社員端末１６ａは、この２時間後送り元贈呈ポイント付提供情報ＱＱＪｉを受信し、図２（ｃ）に示す褒め先２時間後自分宛画面ＧＬｉをブラウザ機能によって表示する（ｄ６９）。
図２（ｃ）に示すように、写真エリアＰＥには、褒め元名のＡ１（斉藤）の写真が表示され、褒め元名ａｉの名前（Ａ１：斉藤）が表示されている。すなわち、２時間後には「褒めた人」が誰であるかが分るようにした画面を表示させている。
【０１１７】
また、Ａ１は、２時間後には返信コメント欄Ｒが表示されているので、この返信コメント欄Ｒを用いて、褒め元であるＡ１（斉藤）に返信ができる。
そして、Ａ１０（近藤）は、返信コメント欄Ｒに、お礼、又はありがとう等（図示せず）の返信メッセージを入力し、この情報（以下、２時間後返信情報ＲＪｉという）を社員端末１６ｊが送信ボタンのカーソル指定に伴ってサーバ１０００に送信する（ｄ７１）。
【０１１８】
サーバ１０００の「褒められた人」宛情報提供部４００は、２時間後返信情報ＲＪｉを受信して、返信情報用メモリ７３５に記憶する（ｄ７３）。
そして、ログアウトかどうかを判断し、ログアウトでない場合は、ｄ４３に戻る（ｄ７５）。
【０１１９】
＜実施の形態３＞
次に、「メッセージ共感人」宛情報提供部５００とメッセージ共感人の端末（例えば、社員端末１８）とのやりとりを実施の形態３として図１６のシーケンス図を用いて説明する。
図１６においては、社員Ａ１８（木村）が自分新規メッセージボタンＭＮＢを選択して社員Ａ１（斉藤）を褒める場合を一例として説明する。
【０１２０】
図１６に示すように、社員Ａ１８（木村）は、社員Ａ１８端末１６ｒを操作して利用者識別情報ＵＪｉを通信ネットワーク６０を介してサーバ１０００にログインする（ｄ８１）。
そして、褒め獲得ポイント付ヘッダ提供部１４０が上記と同様なヘッダ画面提供処理を行う（ｄ８３）。  
つまり、社員マスタ８００に記憶されている社員Ａ１８（木村）の利用者識別情報ＵＪｉが関連付けられている獲得ポイントＰＮｉ（例えば、４０００点）と、キャラクタＫｉ（例えば、猫）とを、ヘッダ画面用フォーム（図示せず）の該当のエリアにキャラクタＫｉ（例えば猫）と獲得ポイントＰＮｉ（例えば、４０００点）等を書き込んだＡ１８用の褒め獲得ポイント付部分ｈｉのヘッダ画面情報を生成する。
【０１２１】
そして、褒め獲得ポイント付ヘッダ提供部１４０が送受信部１２０に送出し、通信ネットワーク６０を介して社員Ａ１８（木村）の社員端末１６ｒに送信させる（ｄ８５）。
一方、社員Ａ１８端末１６ｒは、褒め獲得ポイント付部分ｈｉを受信し、ブラウザ機能で図３（ａ）に示す褒め獲得ポイント付部分ｈｉの画面を表示する（ｄ８７）。
【０１２２】
図３（ａ）に示すように、獲得ポイント贈呈アイコン部ＫＡｉには、Ａ１８（木村）が取得しているキャラクタｋｉ（ＧＩＦ）と、Ａ１８の獲得ポイントＰＮｉとが表示されているので、Ａ１８（木村）は、常に現在獲得ポイントＰＮｉを増やそうと意識することになる。
そして、Ａ１８（木村）は、社員Ａ１８端末１６ｒを操作して、例えば自分宛要求ボタンＭＭＢを選択する（ｄ８７）。
自分宛要求ボタンＭＭＢを選択した場合は、社員Ａ１８端末１６ｒは、自分宛メッセージ要求情報ＭＭＪｉ（自分宛要求者名ｙｍｉ（Ａ１８：木村）、ｔｈｉ（例えば、４月１０日１１時３８分）、自分宛要求コマンド、・・））を通信ネットワーク６０を介してサーバ１０００に送信する（ｄ８９）。
【０１２３】
サーバ１０００の送受信部１２０は、この自分宛メッセージ要求情報ＭＭＪｉを受信してメモリ９００に記憶して、要求情報判定部１６０に出力する。
【０１２４】
「メッセージ共感人」宛情報提供部５００（贈呈ポイント者宛情報提供部ともいう）は、自分宛メッセージ要求情報ＭＭＪｉの受信に伴って、「メッセージ共感人」宛処理（Ｓ３００）を行う（ｄ９３）。
（「メッセージ共感人」宛処理（Ｓ３００））
「メッセージ共感人」宛処理（Ｓ３００）は、自分宛要求者名ｙｍｉ（例えば、Ａ１８：木村）と同じ「ポイント贈呈者名ｂｇｉ（例えば、Ａ１８（木村）」を有する振分用メモリ７２０のポイント贈呈前贈呈者用提供情報ＳＰＪｉを全て指定する。
【０１２５】
そして、この指定毎に、指定したポイント贈呈前贈呈者用提供情報ＳＰＪｉに含まれている
に含まれている新規メッセージＮＭｉと贈呈用ボックスＢｉ（花丸又は飴）等を組としたボックス付ポイント贈呈者用情報ＳＰｍＪｉをメモリ７４０に生成する（図６参照）。
【０１２６】
そして、通信ネットワーク６０を介して社員端末１６ｒ（例えば、Ａ１８：木村）に送信して（ｄ９７）、自分宛２時間前「褒められた人を褒めた人」用画面ＧＰｉ（図３（ａ）参照）を表示させる。
【０１２７】
一方、社員端末１６ｒ（例えば、Ａ１８：木村）は、図１７に示すように、自分宛ボックス付ポイント贈呈者用情報ＳＰｍＪｉ（贈呈用ボックスＢｉ（花丸又は飴）、ＮＭｉ）を受信しする。
【０１２８】
そして、ブラウザ機能によって、その情報に基づく画面（ＧＰｉ：図３（ａ）参照）を表示する（ｄ９９）。この送信に伴って、指定したポイント贈呈前贈呈者用提供情報ＳＰＪｉを既読に設定する。
【０１２９】
図３（ａ）にＡ１８（木村）の端末に表示された自分宛２時間前褒められた人を褒めた人用画面ＧＰｉを示す。
褒め元名ａｉ（Ａ１：近藤）は、「？マーク」となっている。つまり、褒める人を褒める人であるＡ１８（例えば、木村）は、「褒めた人」が誰かが分からないようにしている。これによって、差別することなく、花丸又は飴を贈呈できることになる。
【０１３０】
さらに、贈呈ボックスＢｉ（花丸贈呈ボックスＢａ、飴贈呈ボックスＢｂ）が表示されている。この贈呈ボックスＢｉ（花丸贈呈ボックスＢａ、飴贈呈ボックスＢｂ）のカーソル指定し、図示しない送信ボタンの指定により、ボックス付ポイント贈呈者用情報ＳＰｍＪｉ（贈呈用ボックスＢｉ（花丸又は飴）、ＮＭｉ）に選択された贈呈ボックスＢｉ（花丸贈呈ボックスＢａ又は飴贈呈ボックスＢｂ）を付加させ、これを受け手宛メッセージ情報ＰｍＪｉとしてサーバ１０００に送信する（ｄ１０１）。
【０１３１】
そして、サーバ１０００は、この受け手宛メッセージ情報ＰｍＪｉを贈呈者用メモリ７４０に記憶する（ｄ１０１）。
すなわち、２時間前は、褒め元名ａｉ（例えば、斉藤（Ａ１）と、褒め先名ｂｉ（例えば、Ａ１０（近藤）以外の社員であるＡ１８（木村）が花丸又は飴を褒め元（Ａ１：斉藤）に贈呈している。
【０１３２】
一方、「メッセージ共感人」宛情報提供部５００に接続されている褒めポイント更新部５５０（図６参照）は、贈呈者用メモリ７４０の受け手宛メッセージ情報ＰｍＪｉを指定し、社員マスタ８００のこの受け手宛メッセージ情報ＰｍＪｉに含まれている褒め元名ａｉ（例えば、Ａ１（斉藤））を有する社員情報ＥＪｉを指定する。
そして、この指定された社員情報ＥＪｉに含まれている獲得ポイントＰｉを読み込む。そして、指定された受け手宛メッセージ情報ＰｍＪｉに含まれている贈呈ボックスＢｉ（花丸又は飴）を例えば1ポイントとし、この１ポイントを指定した社員情報の獲得ポイントＰｉに加算する（ｄ１０３）。花丸が５ポイント、飴が１ポイントとしても構わない。
そして、ログアウトかどうかを判断し、ログアウトでない場合は、ｄ８３に戻る。
【０１３３】
次に、「褒めた人」宛情報提供部６００のシーケンスを実施の形態４として図１８及び図１９の用いて説明する。
＜実施の形態４＞
図１８に示すように、社員Ａ１（斉藤）は、社員Ａ１端末１６ａを操作して利用者識別情報ＵＪｉを通信ネットワーク６０を介してサーバ１０００に送信してログインする（ｄ１２１）。
このログインに伴って、褒め獲得ポイント付ヘッダ提供部１４０は、ヘッダ画面提供処理を行う（ｄ１２３）。
【０１３４】
ヘッダ画面提供処理（褒めポイント付ヘッダ提供部）は、社員マスタ（図８参照）に記憶されている社員Ａ１（斉藤）の利用者識別情報ＵＪｉが関連付けられている社員情報ＥＪｉの獲得ポイントＰＮｉ（例えば、２００６点）と、キャラクタＫｉ（例えばライオン）とを読込む。
そして、ヘッダ画面用フォーム（図示せず）の該当のエリアにキャラクタＫｉ（例えば、ライオン）と獲得ポイントＰＮｉ（例えば、２００６点）等を書き込んだＡ１用の褒め獲得ポイント付部分ｈｉのヘッダ画面情報を生成する。
【０１３５】
そして、送受信部１２０に送出し、通信ネットワーク６０を介して社員Ａ１（斉藤）の社員端末１６ａに送信させる（ｄ１２５）。
一方、社員Ａ１端末１６ａは、褒め獲得ポイント付部分ｈｉを受信し、ブラウザ機能で図３（ｂ）に示す褒め獲得ポイント付部分ｈｉの画面を表示する（ｄ１２７）。
図３（ｂ）に示すように、獲得ポイント贈呈アイコン部ＫＡｉには、Ａ１（斉藤）が取得していキャラクタＫｉ（ＧＩＦ）と、現在の獲得ポイントＰＮｉ（２００６点）が表示されている。つまり、獲得ポイントＰＮｉは増加している。
【０１３６】
そして、Ａ１（斉藤）は、社員Ａ１端末１６ａを操作して、例えば自分が貰ったメッセージを要求するために、要求ボタンＭＭＢを選択する（ｄ１２９）。
ＭＭＢを選択した場合は、社員Ａ１端末１６ａは、自分宛が貰ったメッセージ要求情報ＭＲＪｉ（（Ａ１：斉藤）、ｔｈｉ（例えば、４月１０日１２時３８分）、・・）を通信ネットワーク６０を介してサーバ１０００に送信する（ｄ１３１）。
【０１３７】
サーバ１０００の褒めた人宛情報提供部７００は、要求者名ｙｍｉ（Ａ１：斉藤）を有する振分用メモリ７２０のポイント贈呈前贈呈者用提供情報ＳＰＪｉを全て指定する。
そして、この指定毎に、これに含まれているポイント贈呈済未フラグが「済」の場合は、
「褒めた人」贈呈ポイント画面提供処理（Ｓ３００）を行う（ｄ１３３）。
【０１３８】
（「褒めた人」贈呈ポイント画面提供処理（Ｓ３００））
自分が貰ったメッセージ要求情報ＭＲＪｉ（（自分宛要求者名ｙｍｉ（Ａ１：斉藤）、ｔｈｉ（例えば、４月１０日１２時３８分）、・・）に含まれている自分宛要求者名ｙｍｉ（Ａ１：斉藤）を有する贈呈者用メモリ７４０の受け手宛メッセージ情報ＰｍＪｉを全て指定する。
【０１３９】
そして、この指定毎に、これに含まれている選択された贈呈ボックスＢｉの贈呈マークＭｉ（花丸マークＭａｉ又は飴マークＭｂｉ）に、指定した受け手宛メッセージ情報ＰｍＪｉに含まれている送り手名（例えば、Ａ１８（木村））を割付ける。
【０１４０】
そして、これらのマークを組（以下、贈呈者名無マーク群ＰＭｉという）とし、この贈呈者名無マーク群ＰＭｉと、いずれかの受け手宛メッセージ情報ＰｍＪｉに含まれている新規メッセージＮＭｉ等を組とした情報を贈呈者側褒め元用提供情報ＰａＪｉとして贈呈者用メモリ７４０に生成する。
【０１４１】
そして、この贈呈者側褒め元用提供情報ＰａＪｉを通信ネットワーク６０を介して、その端末（例えば、Ａ１（斉藤））に送信する。
【０１４２】
一方、Ａ１の端末は、贈呈者側褒め元用提供情報ＰａＪｉを受信して図３（ｂ）に示す贈呈者側褒めた人宛用画面ＧＱＬｉ（端末時刻は例えば、４月１０日１２時３８分）を表示させる（ｄ１３７）。
【０１４３】
すなわち、図３（ｂ）に示すように、この花丸、飴には、花丸又は飴のポイント贈呈者名ｂｇｉ（「メッセージ共感人」の名前）が関連付られている。
【０１４４】
このため、Ａ１（近藤）が花丸マークＭａｉ又は飴マークＭｂｉをカーソル指定すると、Ａ１０（例えば、近藤）を褒めた自分Ａ１（斉藤）が花丸又は飴を贈った人（褒められた人を褒めた人）である他の社員が誰かがわかる（図３（ａ）も同様である）。
【０１４５】
図３（ｂ）においては、花丸マークＭａ１には花丸ポイントを贈った人が上司Ａ２０（例えば、三浦）で、花丸マークＭａ２を贈った人が上司Ａ２５（例えば、安藤）で、花丸マークＭあ３を送った人が上司Ａ２１（例えば、水野）であり、飴マークＭｂ１を贈った人が社員Ａ１８（例えば、木村）で、飴マークＭｂ２を贈った人が社員Ａ５（例えば、上野）で、飴マークＭｂ３を送った人が社員Ａ８（例えば、菅原）の場合を示している。
【０１４６】
なお、「褒めた人」宛情報提供部６００は、図１９に示すように、受け手宛メッセージ情報ＰｍＪｉ（ＰｍＪ１、ＰｍＪ２、・・）をｔｈｉの順に読み出して、これを順に社員端末に送信して時系列的又はポイント贈呈マークＭｉの多さ順に表示させてもよい。
【０１４７】
また、ポイントをできるだけ獲得させるために、図２０（ａ）に示すように日本地図（都道府県名付）を表示し、さらに図２０（ｂ）に示すように、都道府県毎のキャラクタ表を表示し、図２０（ａ）に示すように例えば秋田県（斜線）を選択し、この秋田県のキャラクタ（例えば、なまはげ）を自分のキャラクタとし、獲得ポイントが予め設定されているポイント数になったときに、このこの県への旅行券等が貰えるようにしてもよい。
【０１４８】
また、花丸、飴は例えば２０日間の間で例えば、一人り、１００個、２００個、３００個を限度としてもよい。
また、ポイント贈呈マークＭｉは、数字であってもよいし、何等かのキャラクタであっても構わない。
＜その他の実施の形態＞
【０１４９】
なお、「褒められた人」宛情報提供部４００は、社員端末１６ｉから自分宛メッセージ要求情報ＭＭＪｉ（（Ａ１０：近藤）、ｔｈｉ（例えば、４月１０日１０時４０分）、）の受信に伴って、これに含まれている要求者名ｙｍｉ（Ａ１０：近藤）を有する振分用メモリ７２０の２時間前１対１用提供情報ＨＰＪｉを指定する。
【０１５０】
そして、これに含まれているｔｈｉ（例えば、ｔｈｉ：４月１０日１０時３８分）と要求時刻（例えば、４月１０日１０時４０分）の差が２時間になっているかどうかを判断する。
２時間以内（２時間００分００秒）の場合は、２時間前「褒められた人」宛処理（Ｓ２３０）を起動し、２時間以上の場合は２時間後「褒められた人宛処理（Ｓ２４０）」を起動する。
【０１５１】
そして、２時間前「褒められた人」宛処理：２時間前１対１用提供処理（Ｓ２３０）が指定した２時間前１対１用提供情報ＨＰＪｉに基づく情報を通信ネットワーク６０を介して送信させて図２（ｂ）に示す２時間前自分宛「褒められた人」用画面ＧＨＰｉを表示させても構わない。
【０１５２】
さらに、「メッセージ共感人」宛情報提供部５００（贈呈ポイント者宛情報提供部ともいう）は、社員端末１６ｉからの自分宛のメッセージ要求（要求者名ｙｍｉ（Ａ１８：河村）、要求時刻（例えば、４月１０日１１時３８分）、・・）の受信に伴って、これに含まれている要求者名ｙｍｉ（例えば、Ａ１８：河村）と同じ「ポイント贈呈者名ｂｇｉ（例えば、Ａ１８（河村）」を有する振分用メモリ７２０の２時間前１対ｎ用提供情報ＳＰＪｉを指定する。
【０１５３】
そして、これに含まれているｔｈｉ（４月１０日１０時３８分）と要求時刻（例えば、４月１０日１１時３８分）との差が２時間になっているかどうかを判断する。
２時間以内（２時間００分００秒）の場合は、２時間前「メッセージ共感人」宛処理を起動し、２時間以上の場合は２時間後「メッセージ共感人」宛処理を起動する。
【０１５４】
（２時間前「メッセージ共感人」宛処理）
２時間前「メッセージ共感人」宛処理は、指定した２時間前１対ｎ用提供情報ＳＰＪｉに基づいて、この新規メッセージＮＭｉと贈呈用ボックスＢｉ（花丸又は飴）とを組とした情報を通信ネットワーク６０を介して送信し、その情報に基づく画面（以下、自分宛２時間前褒められた人を褒めた人用画面ＧＰｉという：図３（ａ）参照）を表示させても構わない。
【０１５５】
一方、配信条件決定部がポイント贈呈マークＭｉにポイント贈呈者名（メッセージ共感人名）を割付けて、このプライベイト情報を非表示にして２時間経過後に解除しても構わない。
【符号の説明】
【０１５６】
１６ａ  社員Ａ１端末
１６ｊ  社員Ａ１０端末
１６ｒ  社員Ａ１８端末
１６ｔ  上司Ａ２０端末
２００  メッセージ振分部
３００  配信条件設定部
４００  「褒められた人」宛情報提供部
５００  「メッセージ共感人」宛情報提供部
６００  「褒めた人」宛情報提供部
１０００  サーバ
【図１】
2020197785.tif 000003
【図２】
2020197785.tif 000004
【図３】
2020197785.tif 000005
【図４】
2020197785.tif 000006
【図５】
2020197785.tif 000007
【図６】
2020197785.tif 000008
【図７】
2020197785.tif 000009
【図８】
2020197785.tif 000010
【図９】
2020197785.tif 000011
【図１０】
2020197785.tif 000012
【図１１】
2020197785.tif 000013
【図１２】
2020197785.tif 000014
【図１３】
2020197785.tif 000015
【図１４】
2020197785.tif 000016
【図１５】
2020197785.tif 000017
【図１６】
2020197785.tif 000018
【図１７】
2020197785.tif 000019
【図１８】
2020197785.tif 000020
【図１９】
2020197785.tif 000021
【図２０】
2020197785.tif 000022
【図２１】
2020197785.tif 000023
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
組織に属している複数の会員毎の会員端末と、サーバとが通信回線を介して接続されたコミニュケーションシステムであって、
前記会員端末は、送り元端末又は受け手端末若しくはポイント贈呈者端末であり、
前記サーバは、
（Ａ）送り元端末からのメッセージの受信に伴って配信情報用記憶手段に記憶し、送り元のプライベイト情報を非表示に設定したプライベイト非表示情報を生成して、時刻を計測し、一定時刻に到達したとき、非表示を解除したプライベイト表示情報を生成する手段と、
（Ｂ）会員情報用記憶手段に記憶されている所定数の会員名を前記メッセージに対するポイント贈呈者名とし、これらのポイント贈呈者名毎に、前記プライベイト非表示情報にポイント贈呈マークを選択可能に関連付けたポイント贈呈者用情報を前記配信情報用記憶手段に記憶して、この情報の画面を各々の前記ポイント贈呈者端末に表示させる手段と、
（Ｃ）前記ポイント贈呈者端末からの前記ポイント贈呈者用情報に対する返信情報を受信する毎に、これに含まれている前記プライベイト非表示情報及び選択されたポイント贈呈マークを含む受け手宛メッセージ情報を前記配信情報用記憶手段に記憶する手段と、
（Ｄ）前記受け手宛メッセージ情報に含まれている受け手名を有する一定期間内の前記受け手宛メッセージ情報を全て指定する手段と、
（Ｅ）これらの受け手宛メッセージ情報に含まれているポイント贈呈マークを組とした贈呈マーク群を前記プライベイト非表示情報に関連付けた第１の受け手宛贈呈マーク付メッセージ情報又はこの贈呈マーク群と前記プライベイト表示情報とを含む第２の受け手宛贈呈マーク付メッセージ情報を前記受け手端末に送信し、この情報に基づく画面を表示させる手段と
を有することを特徴とするコミニュケーションシステム。
【請求項２】
前記第２の受け手宛贈呈マーク付メッセージ情報には、返信コメント欄を付加して送信することを特徴とする請求項１記載のコミニュケーションシステム。
【請求項３】
（Ｇ）前記第２の贈呈マーク付メッセージ情報を前記送り元端末に送信し、送り元用画面として表示させる手段と
を有することを特徴とする請求項１又は２記載のコミニュケーションシステム。
【請求項４】
（Ｈ）前記返信情報を受信する毎に、この返信情報に含まれている前記ポイント贈呈マークに、この返信情報に含まれている送り手名を贈呈者名として割付ける手段と
を有することを特徴とする請求項１記載のコミニュケーションシステム。
【請求項５】
メッセージ用記憶手段を備え、
前記（Ａ）の手段は、
（Ａ１）前記送り元端末にメッセージ及び受け手名を入力させるメッセージ作成用情報を送信して、この情報に基づく新規メッセージ作成画面を表示させる手段と、
（Ａ２）前記新規メッセージ作成画面に入力された送り元名、メッセージを含むメッセージ情報を前記メッセージ用記憶手段に記憶する手段と、
（Ａ３）前記メッセージ情報を指定し、この指定毎に、タイマーによって時刻を計測し、
一定時刻に到達するまでは、この新規メッセージ情報の送り元のプライベイト情報を非表示に設定したメッセージ情報を含む前記プライベイト非表示情報を前記配信情報用記憶手段に生成する手段と、
（Ａ４）前記指定したメッセージ情報が一定時刻経過した場合は、このメッセージ情報を含む前記プライベイト非表示情報のプライベイト情報を解除した前記プライベイト表示情報を前記配信情報用記憶手段に生成する手段と、
（Ａ５）前記受け手へのメッセージに対して前記一定時刻の間は返信不可にし、前記一定時刻を超えた場合は、返信コメント欄を表示させて返信許可にした情報を前記受け手端末に送信する手段と
を備えていることを特徴とする請求項１記載のコミュニケーションシステム。
【請求項６】
前記会員情報用記憶手段は、会員名に前記ポイント贈呈マークを獲得した獲得ポイント値が関連付けられており、
（Ｈ）前記ポイント贈呈者端末から前記ポイント贈呈者情報に対する返信情報を受信する毎に、この返信情報に含まれている送り元名と一致する会員名を有する前記会員情報用記憶手段に記憶されている会員情報を指定し、この会員情報の前記獲得ポイント値に、受信した返信情報に含まれているポイント贈呈マークを値にしてこの前記獲得ポイント値に加算する手段と
を有することを特徴とする請求項１記載のコミニュケーションシステム。
【請求項７】
前記会員情報用記憶手段に記憶されている会員情報は、メールアドレスを含み、
各々の前記手段は、
前記送り元端末、受け手端末、ポイント贈呈者端末に対する情報は、この情報に含まれている送り手名又は受け手名に一致する会員名を有する会員情報のメールアドレス宛に送信することを特徴とする請求項１記載のコミニュケーションシステム。
【請求項８】
前記一定時刻は、１時間３０分〜２時間３０分の間であることを特徴とする請求項１記載のコミニュケーションシステム。
【請求項９】
前記メッセージは、前記受け手端末の受け手を「褒めた」メッセージであり、前記ポイント贈呈マークは、贈呈者の種別毎に異なることを特徴とする請求項１記載のコミニュケーションシステム。
【請求項１０】
前記プライベイト情報は、前記送り元名又は送り元名と送り元の会員の写真であることを特徴とする請求項１記載のコミニュケーションシステム。
【請求項１１】
組織に属している複数の会員毎の会員端末と、サーバとが通信ネットワークを介して接続されたコミニュケーションシステムのプログラムであって、
前記会員端末は、送り元端末又は受け手端末若しくはポイント贈呈者端末であり、
コンピュータに、
（Ａ）送り元端末からのメッセージの受信に伴って配信情報用記憶手段に記憶し、送り元のプライベイト情報を非表示に設定したプライベイト非表示情報を生成して、時刻を計測し、一定時刻に到達したとき、非表示を解除したプライベイト表示情報を生成させる手段、
（Ｂ）会員情報用記憶手段に記憶されている所定数の会員名を前記メッセージに対するポイント贈呈者名とし、これらのポイント贈呈者名毎に、前記プライベイト非表示情報にポイント贈呈マークを選択可能に関連付けたポイント贈呈者用情報を前記配信情報用記憶手段に記憶して、この情報の画面を各々の前記ポイント贈呈者端末に表示させる手段、
（Ｃ）前記ポイント贈呈者端末からの前記ポイント贈呈者用情報に対する返信情報を受信する毎に、これに含まれている前記プライベイト非表示情報及び選択されたポイント贈呈マークを含む受け手宛メッセージ情報を前記配信情報用記憶手段に記憶させる手段、
（Ｄ）前記受け手宛メッセージ情報に含まれている受け手名を有する一定期間内の前記受け手宛メッセージ情報を全て指定させる手段、
（Ｅ）これらの受け手宛メッセージ情報に含まれているポイント贈呈マークを組とした贈呈マーク群を前記プライベイト非表示情報に関連付けた第１の受け手宛贈呈マーク付メッセージ情報又はこの贈呈マーク群と前記プライベイト表示情報とを含む第２の受け手宛贈呈マーク付メッセージ情報を前記受け手端末に送信し、この情報に基づく画面を表示させる手段
としての機能を実行させるためのコミニュケーションプログラム。
【手続補正２】
【補正対象書類名】明細書
【補正対象項目名】００１１
【補正方法】変更
【補正の内容】
【００１１】
本発明に係るコミニュケーションシステムは、組織に属している複数の会員毎の会員端末と、サーバとが通信回線を介して接続されたコミニュケーションシステムであって、
前記会員端末は、送り元端末又は受け手端末若しくはポイント贈呈者端末であり、
前記サーバは、
（Ａ）送り元端末からのメッセージの受信に伴って配信情報用記憶手段に記憶し、送り元のプライベイト情報を非表示に設定したプライベイト非表示情報を生成して、時刻を計測し、一定時刻に到達したとき、非表示を解除したプライベイト表示情報を生成する手段と、
（Ｂ）会員情報用記憶手段に記憶されている所定数の会員名を前記メッセージに対するポイント贈呈者名とし、これらのポイント贈呈者名毎に、前記プライベイト非表示情報にポイント贈呈マークを選択可能に関連付けたポイント贈呈者用情報を前記配信情報用記憶手段に記憶して、この情報の画面を各々の前記ポイント贈呈者端末に表示させる手段と、
（Ｃ）前記ポイント贈呈者端末からの前記ポイント贈呈者用情報に対する返信情報を受信する毎に、これに含まれている前記プライベイト非表示情報及び選択されたポイント贈呈マークを含む受け手宛メッセージ情報を前記配信情報用記憶手段に記憶する手段と、
（Ｄ）前記受け手宛メッセージ情報に含まれている受け手名を有する一定期間内の前記受け手宛メッセージ情報を全て指定する手段と、
（Ｅ）これらの受け手宛メッセージ情報に含まれているポイント贈呈マークを組とした贈呈マーク群を前記プライベイト非表示情報に関連付けた第１の受け手宛贈呈マーク付メッセージ情報又はこの贈呈マーク群と前記プライベイト表示情報とを含む第２の受け手宛贈呈マーク付メッセージ情報を前記受け手端末に送信し、この情報に基づく画面を表示させる手段とを備えたことを要旨とする。
【手続補正書】
【提出日】令和1年12月13日(2019.12.13)
【手続補正１】
【補正対象書類名】特許請求の範囲
【補正対象項目名】請求項６
【補正方法】変更
【補正の内容】
【請求項６】
前記会員情報用記憶手段は、会員名に前記ポイント贈呈マークを獲得した獲得ポイント値が関連付けられており、
（Ｈ）前記ポイント贈呈者端末から前記ポイント贈呈者用情報に対する返信情報を受信する毎に、この返信情報に含まれている送り元名と一致する会員名を有する前記会員情報用記憶手段に記憶されている会員情報を指定し、この会員情報の前記獲得ポイント値に、受信した返信情報に含まれているポイント贈呈マークを値にしてこの前記獲得ポイント値に加算する手段と
を有することを特徴とする請求項１記載のコミニュケーションシステム。